(57)【特許請求の範囲】
【請求項１】
ドアホン子器より導出した接続ラインに、少なくとも、インターホン親機、インターホン副親機を接続して構成されるインターホンシステムにおいて、上記インターホン親機は、上記接続ラインの電圧レベルの降下によって、上記ドアホン子器による呼出を検出する呼出検出手段と、この呼出検出手段によって呼出を検出したときに上記接続ラインに対して電源を供給する電源供給手段とを少なくとも備え、上記インターホン副親機は、上記接続ラインの電圧レベルの降下によって、上記ドアホン子器による呼出を検出する呼出検出手段を少なくとも備えており、
上記インターホン親機、上記インターホン副親機のそれぞれの呼出検出手段は、積分回路を有しており、上記インターホン親機側の積分回路の時定数を上記インターホン副親機側の時定数よりも大きくしており、
上記インターホン親機側の呼出検出手段は、上記接続ラインの電圧レベルの降下を、上記インターホン副親機側の呼出検出手段よりも遅く検出する構成としたインターホンシステム。
【請求項２】
上記インターホン親機、インターホン副親機のそれぞれの呼出検出手段の積分回路は、抵抗器とコンデンサとを少なくとも組み合わせて構成されていることを特徴とする、請求項１に記載のインターホンシステム。
【請求項３】
ドアホン子器より導出した接続ラインに、少なくとも、インターホン親機、インターホン副親機を接続して構成されるインターホンシステムにおいて、
上記インターホン親機は、上記接続ラインの電圧レベルの低下によって、上記ドアホン子器による呼出を検出する呼出検出手段と、この呼出検出手段によって呼出を検出したときに上記接続ラインに対して電源を供給する電源供給手段とを少なくとも備え、
上記インターホン副親機は、上記接続ラインの電圧レベルの降下によって、上記ドアホン子器による呼出を検出する呼出検出手段を備えており、
上記インターホン親機の電源供給手段は、上記インターホン親機側の呼出検出手段が上記接続ラインの電圧レベルの降下を検出してから、上記接続ラインに対する電源供給を所定時間遅らせることによって、上記呼出検出手段が上記接続ラインの電圧レベルの降下を検出してから、所定時間経過後に、上記接続ラインに対する電源供給を開始する構成としたインターホンシステム。
【請求項４】
上記ドアホン子器はカメラ付ドアホン子器で構成され、また、上記インターホン親機、インターホン副親機は、テレビインターホンで構成されていることを特徴とする、請求項１〜３のいずれかに記載のインターホンシステム。
【発明の詳細な説明】
【０００１】
【発明の属する技術分野】
本発明は、主に一般住宅において導入されているインターホンシステムの改良に関する。
【０００２】
【従来の技術】
近時、主に一般住宅においては、インターホンシステムが広く導入されており、ドアホン子器より導出した接続ラインに、インターホン親機や、インターホン副親機を接続することで構成されている。
このようなインターホンシステムでは、インターホン親機、インターホン副親機の呼出検出手段が、接続ラインの電圧レベルを常時監視しており、ドアホン子器の呼出釦が操作されたときには、例えば、図５に示すように、その呼出回路によって、接続ラインの電圧レベルを、待機時の電圧レベル（６Ｖ）から４．５Ｖ程度にまで降下させるので、親機、副親機では、この電圧レベルの降下を呼出検出手段が検出し、所定の呼出動作をすることで住居人を呼び出すようになっている。
【０００３】
【発明が解決しようとする課題】
このとき、インターホン親機は、図５にも示すように、接続ラインの電圧レベルを１５Ｖ程度にまで上昇させることで、ドアホン子器に電源を供給し、ドアホン子器の通話回路を作動状態にするようになっているが、親機、副親機の呼出検出手段を構成する抵抗器の抵抗値の変動などにより、例えば、図６に示すように、親機が、接続ラインの電圧レベルがＶ１まで降下したことを検出する一方、副親機が、接続ラインの電圧レベルがＶ２まで降下したことを検出するように、親機側の検出電圧が副親機側よりも大きくなっていると、親機が接続ラインの電圧レベルの降下を検出した時点で、その給電回路により接続ラインに電圧を印加するため、副親機が電圧レベルの降下を検出することができず、そのため、副親機が住居人を呼び出すことができないといった問題があった。
【０００４】
本発明は、上記問題を解決するためになされたものであり、親機側の検出電圧が副親機側の検出電圧よりも大きくなった場合でも、双方で問題なく接続ラインの電圧レベルの降下を検出し、住居人を呼び出すことのできるインターホンシステムを提供することを目的としている。
【０００５】
【課題を解決するための手段】
上記目的を達成するために、本発明の請求項１に記載のインターホンシステムでは、インターホン親機は、接続ラインの電圧レベルの降下によって、ドアホン子器による呼出を検出する呼出検出手段と、この呼出検出手段によって呼出を検出したときに接続ラインに対して電源を供給する電源供給手段とを少なくとも備え、インターホン副親機は、接続ラインの電圧レベルの降下によって、ドアホン子器による呼出を検出する呼出検出手段を少なくとも備えており、上記インターホン親機、上記インターホン副親機のそれぞれの呼出検出手段は、積分回路を有しており、上記インターホン親機側の積分回路の時定数を上記インターホン副親機側の時定数よりも大きくしており、インターホン親機側の呼出検出手段は、接続ラインの電圧レベルの降下を、インターホン副親機側の呼出検出手段よりも遅く検出する構成としている。
【０００６】
請求項２に記載のインターホンシステムでは、インターホン親機、インターホン副親機のそれぞれの呼出検出手段の積分回路は、抵抗器とコンデンサとを少なくとも組み合わせて構成されている。
請求項３に記載のインターホンシステムでは、インターホン親機は、上記接続ラインの電圧レベルの低下によって、ドアホン子器による呼出を検出する呼出検出手段と、この呼出検出手段によって呼出を検出したときに接続ラインに対して電源を供給する電源供給手段とを少なくとも備え、インターホン副親機は、接続ラインの電圧レベルの降下によって、ドアホン子器による呼出を検出する呼出検出手段を備えており、インターホン親機の電源供給手段は、インターホン親機側の呼出検出手段が接続ラインの電圧レベルの降下を検出してから、接続ラインに対する電源供給を所定時間遅らせることによって、呼出検出手段が接続ラインの電圧レベルの降下を検出してから、所定時間経過後に、接続ラインに対する電源供給を開始する構成としている。
【０００７】
請求項４に記載のインターホンシステムでは、ドアホン子器はカメラ付ドアホン子器で構成され、また、インターホン親機、インターホン副親機は、テレビインターホンで構成されている。すなわち、請求項４では、テレビインターホンシステムを提案している。
【０００８】
【発明の実施の形態】
以下に、本発明の実施の形態について、図面とともに説明する。
図１は、本発明のインターホンシステムの要部構成の一例を示す図である。
ここでは、インターホンシステムとして、インターホン親機１、インターホン副親機２をテレビインターホンで構成する一方、ドアホン子器３をカメラ付ドアホン子器で構成したテレビインターホンシステムを示しており、ドアホン子器３より接続ラインとして２線式信号線Ｌ（Ｌ１，Ｌ２）を導出させ、この２線式信号線Ｌを介して、インターホン親機１、インターホン副親機２を接続することで構成されている。なお、図中、インターホン副親機２は１台しか接続されていないが、本発明はこの例に限られず、複数台接続してもよい。
【０００９】
インターホン親機１は、以下の各部を制御するＣＰＵ１０、２線式信号線Ｌの電圧レベルを検出する電圧検出回路１１、映像信号と音声信号とを多重化して送受する多重化回路１２と、本発明の電源供給手段を構成し、２線式信号線Ｌの電圧レベルを上昇させ、ドアホン子器３に電源供給する給電回路１３、スピーカ１４Ａとマイク１４Ｂとを有する通話回路１４、映像信号を同期して、ＣＲＴや液晶画面などで構成される表示機器１６に表示させる映像表示回路１５を備える。
【００１０】
インターホン副親機２は、以下の各部を制御するＣＰＵ２０、２線式信号線Ｌの電圧レベルを検出する電圧検出回路２１、映像信号と音声信号とを多重化して送受する多重化回路２２と、スピーカ２３Ａとマイク２３Ｂとを有する通話回路２３、映像信号を同期して、ＣＲＴや液晶画面などで構成される表示機器２５に表示させる映像表示回路２４を備える。
【００１１】
なお、インターホン親機１、インターホン副親機２において、ＣＰＵ１０，２０と、電圧検出回路１１，２１とで、本発明の呼出検出手段を構成している。
ドアホン子器３は、以下の各部を制御するＣＰＵ３０、本発明の呼出手段を構成し、呼出釦３１Ａが操作されたときに、２線式信号線Ｌの電圧レベルを降下させる呼出回路３１、親機１の給電回路１３により供給された電源を受ける受電回路３２、ＣＣＤなどにより撮像した映像を映像信号にするカメラ回路３３、スピーカ３４Ａとマイク３４Ｂとを有する通話回路３４、映像信号と音声信号とを多重化して送受する多重化回路３５とを備える。
【００１２】
このようなインターホンシステムの基本動作は以下に示すようになっている。すなわち、親機１、副親機２は、その電圧検出回路１１，２１により２線式信号線Ｌの電圧レベルを常時監視しており、ドアホン子器３の呼出釦３１Ａが操作されたときには、ドアホン子器３は、その呼出回路３１により、２線式信号線Ｌの電圧レベルを降下させるので、この電圧レベル降下を、親機１、副親機２のＣＰＵ１０，２０が検出する。
【００１３】
このとき、親機１は、その給電回路１３により２線式信号線Ｌを介してドアホン子器３に電源を供給するので、これを受けたドアホン子器３は、カメラ回路３３による映像信号を、２線式信号線Ｌを介して、親機１、副親機２に送出する。すると、親機１、副親機２では、ドアホン子器３より送出されてきた映像信号を受信し、映像表示回路１５，２４により映像信号を同期して所定のビデオ信号に変換し、変換したビデオ信号に基づいて、表示機器１６，２５に映像を表示させる一方、通話回路１４，２３のスピーカ１４Ａ，２３Ａにより、例えば、「ピンポンピンポン」といった呼出音を出力させて、住居人の呼出をする。
【００１４】
そして、住居人が、親機１あるいは副親機２の通話釦（不図示）を操作して応答すれば、その親機１，副親機２は、ドアホン子器３との間で２線式信号線Ｌを介して、ドアホン子器３側のマイク３４Ｂと、親機１，副親機２側のマイク１４Ｂ，２３Ｂの各々による音声信号の送受をして、ドアホン子器３との間で通話できるようにする。すなわち、ドアホン子器３側のマイク３４Ｂによる音声信号は、親機１，副親機２側のスピーカＳＰより出力され、親機１，副親機２側のマイク１４Ｂ，２３Ｂによる音声信号はドアホン子器３側のスピーカ３４Ａより出力されることで、互いに通話できるようになる。
【００１５】
以上のような基本動作をなすインターホンシステムにおいて、本発明では、電圧検出回路を構成する抵抗器の抵抗値の変動などにより、親機側の検出電圧が副親機側の検出電圧よりも大きくなってしまった場合でも、双方で問題なく２線式信号線Ｌの電圧レベルの降下を検出できることに特徴があり、これを可能とするために、電圧検出回路１１，２１のそれぞれは、例えば、図２に示すような構成となっている。
【００１６】
すなわち、電圧検出回路１１，２１は、ツェナーダイオードＺＤ、抵抗器Ｒ１，Ｒ２、コンデンサＣ１、２線式信号線Ｌの電圧レベルをデジタル信号に変換して、ＣＰＵ１０，２０に出力するＡ／Ｄ変換回路１１Ａ，２１Ａを組み合わせて構成されている。
抵抗器Ｒ１とコンデンサＣ１は、積分回路を構成しており、（抵抗器Ｒ１の抵抗値×コンデンサＣ１の静電容量）で時定数が規定され、（電圧検出回路１１の時定数＞電圧検出回路２１の時定数）の関係を満たすようにしている。
【００１７】
このような構成にすることで、電圧検出回路１１，２１のそれぞれのＡ点における電圧レベルは、例えば、図３に示すような波形を示すようになり、親機１側の検出電圧がＶ１で、副親機２側の検出電圧がＶ２のようになって、親機１側の検出電圧が副親機２側よりも大きくなっているときでも、親機１側が２線式信号線Ｌの電圧レベル降下を検出して、２線式信号線Ｌに電源を供給するまでの間に、副親機２側が２線式信号線Ｌの電圧レベル降下を検出することができ、従来のように、電圧レベルの降下を親機１が検出してしまうと、副親機２が検出できなくなり、そのため、副親機２で住居人を呼び出すことができなくなるといった事態を未然に防止できる。なお、図３に示す抵抗器Ｒ２は、コンデンサＣ１への充電、および、コンデンサＣ１からのＡ／Ｄ変換回路１１Ａ，２１Ａに対する放電の安定を図るために設けられているものである。
【００１８】
ここで、電圧検出回路１１，２１の時定数は、互いに等しい関係であってもよく、親機１側が２線式信号線Ｌの電圧レベル降下を検出してから、給電回路１３による電源供給をするまでの時間を遅らすようにしても、上述と同様の効果を発揮することができる。
すなわち、電圧検出回路１１，２１の時定数を互いに等しくすると、それぞれの回路１１，２１のＡ点における電圧レベルは、例えば、図４に示すような波形を示すようになり、２線式信号線Ｌの電圧レベル降下を、親機１側が検出してから所定時間Ｔが経過後に、給電回路１３による電源供給を開始し、それまでの間は、２線式信号線Ｌの電圧レベルが降下し続けるので、副親機２側が問題なく電圧レベルＶ２を検出することができる。
【００１９】
【発明の効果】
以上の説明からも理解できるように、本発明の請求項１に記載のインターホンシステムでは、インターホン親機側の呼出検出手段は、接続ラインの電圧レベルの降下を、インターホン副親機側の呼出検出手段よりも遅く検出するので、呼出検出手段を構成する抵抗器の抵抗値の変動などにより、親機側の検出電圧が副親機側の検出電圧よりも大きくなってしまっても、親機、副親機の双方で問題なく、接続ラインの電圧レベル降下を検出し、住居人を呼び出すことができる。
【００２０】
請求項２に記載のインターホンシステムでは、インターホン親機側の積分回路の時定数は、インターホン副親機側の積分回路の時定数よりも大きいので、親機側の呼出検出手段における電圧レベルの変化が、副親機側のものよりも小さくなり、そのため、親機よりも副親機の方が早く、接続ラインの電圧レベル降下を検出することができる。また、それぞれの回路の時定数を規定するように、抵抗器の抵抗値や、コンデンサの静電容量を変えればいいので、高精度の抵抗器やコンデンサを用いたり、回路構成を複雑にする必要がない。
【００２１】
請求項３に記載のインターホンシステムでは、インターホン親機の電源供給手段は、インターホン親機側の呼出検出手段が接続ラインの電圧レベルの降下を検出してから、所定時間経過後に、接続ラインに対する電源供給を開始するので、所定時間が経過するまでは、接続ラインに電源が供給されず、その電圧レベルが降下し続け、親機側が先に接続ラインの電圧レベル降下を検出しても、副親機側で問題なく、接続ラインの電圧レベル降下を検出することができる。
【００２２】
請求項４に記載のインターホンシステムでは、ドアホン子器はカメラ付ドアホン子器で構成され、また、インターホン親機、インターホン副親機は、テレビインターホンで構成されているので、本発明の請求項１〜３のいずれかの効果を発揮するテレビインターホンシステムを提供することができる。
【図面の簡単な説明】
【図１】本発明のインターホンシステムの要部構成の一例を示す図である。
【図２】電圧検出回路の構成の一例を示す図である。
【図３】親機、副親機の双方の電圧検出回路における電圧レベル変化の一例を示す図である。
【図４】親機、副親機の双方の電圧検出回路における電圧レベル変化の他例を示す図である。
【図５】ドアホン子器からの呼出時における接続ラインの電圧レベル変化の一例を示す図である。
【図６】親機側、副親機側の検出電圧が互いに異なった際の問題点を説明するための図である。
【符号の説明】
１・・・インターホン親機（テレビインターホン親機）
２・・・インターホン副親機（テレビインターホン副親機）
３・・・ドアホン子器（カメラ付ドアホン子器）
１０，２０・・・ＣＰＵ
１１，２１・・・電圧検出回路
１３・・・給電回路
３１・・・呼出回路
３１Ａ・・・呼出釦
Ｌ・・・２線式信号線
Ｒ１，Ｒ２・・・抵抗器
Ｃ１・・・コンデンサ
【図１】
0003584795.tif 000002
【図２】
0003584795.tif 000003
【図３】
0003584795.tif 000004
【図４】
0003584795.tif 000005
【図５】
0003584795.tif 000006
【図６】
0003584795.tif 000007